(57)【要約】【課題】決済用の特別口座を開設することなく、自国通貨によるモバイル決済サービスを利用して、少額の小銭も含めて、日本での両替をスムーズに行うことができる両替サーバ及び両替システムを提供する。【解決手段】両替サーバ１０は、モバイル決済サービスのユーザの顧客端末４０に両替レートを提示する両替レート提示部１０１と、顧客端末から送信される両替予約の要求を受信し、店舗との収納代行を管理する収納代行事業サーバへ両替予約を送信する両替要求処理部１０２と、収納代行事業サーバ３０が前記両替予約に基づいて生成するコードを受信し、顧客端末に送信するコード通知部１０３と、ユーザが店舗に設置された端末５０／６０にて、コードに基づいて、両替予約した金銭の授受が完了した旨の結果を収納代行事業サーバ３０から受信し、モバイル決済サービス用のサーバ２０に送信し、チャージ金額に反映させる取引結果通知部１０４とを備える。【選択図】図１
2020027431.tif 000002
【特許請求の範囲】
【請求項１】
モバイル決済サービスを利用するユーザの顧客端末に両替レートを提示する両替レート提示部と、
顧客端末から送信される両替予約の要求を受信し、店舗との収納代行を管理する収納代行事業サーバへ前記両替予約を送信する、両替要求処理部と、
収納代行事業サーバが前記両替予約に基づいて生成する両替予約コードを受信し、顧客端末に送信する、コード通知部と、
ユーザが店舗に設置された端末にて、前記両替予約コードに基づいて、前記両替予約した金銭の授受が完了した旨の結果を前記収納代行事業サーバから受信し、モバイル決済サービス用のサーバに送信し、モバイル決済サービスのチャージ金額に反映させる取引結果通知部と、
を備えた両替サーバ。
【請求項２】
前記店舗に設置された端末は、前記両替予約コードを読み取って、両替金額の情報を含むバーコードを発行する端末と、前記バーコードを読み取って処理が可能なＰＯＳレジとから構成されている、請求項１に記載の両替サーバ。
【請求項３】
両替サーバと、ユーザの顧客端末でモバイル決済サービスを利用させるモバイル決済事業サーバと、ユーザが両替にかかる金銭の授受をする店舗に設置された端末と、店舗との収納代行を管理する収納代行事業サーバとを通信ネットワークを介して接統される両替システムにおいて、
前記モバイル決済事業サーバは、顧客端末で実行された両替予約の要求を前記両替サーバに送信する両替要求送信部を備え、
前記収納代行事業サーバは、
前記両替予約に基づいて両替予約コードを生成するコード生成部と、
前記店舗に設置された端末が前記両替予約コードを読み取って送信する承認要求を照会する情報照会部と
を備え、
前記両替サーバは、
顧客端末に両替レートを提示する両替レート提示部と、
前記モバイル決済事業サーバから送信される前記両替予約を受信し、収納代行事業サーバへ送信する、両替要求処理部と、
前記収納代行事業サーバからの前記両替予約コードを受信し、顧客端末に送信するコード通知部と、
ユーザが前記店舗に設置された端末にて、前記両替予約コードに基づいて、前記両替予約した金銭の授受が完了した旨の結果を前記収納代行事業サーバから受信し、前記モバイル決済事業サーバに送信し、モバイル決済サービスのチャージ金額に反映させる取引結果通知部と
を備えることを特徴とする両替システム。
【請求項４】
前記店舗に設置された端末は、前記両替予約コードを読み取って、両替金額の情報を含むバーコードを発行する端末と、前記バーコードを読み取って処理が可能なＰＯＳレジとから構成されている、請求項３に記載の両替システム。
【発明の詳細な説明】
【技術分野】
【０００１】
本発明は、外貨を両替するためのサーバ及びシステムである。
【背景技術】
【０００２】
従来、銀行や空港の両替所では、さまざまな交換方法で外貨の両替が行われている。例えば、店頭窓口や両替機へ行って、日本円又は外貨を支払うことによって、外貨又は円貨を現金で受け取ることができる。特に、日本では、近年の訪日観光客の増加に伴い、外貨から円貨への両替を求められるケースが多いが、窓口の営業時間が限られていたり、両替所の店舗数も決して豊富ではない。また、日本におけるクレジットカードが使用可能な店舗も増えてはいるものの、いまだに使用できない店舗も多く、訪日観光客が不便を感じることが多い。そして、そういった訪日観光客も自国では、いわゆるモバイル決済サービスを利用していることも多い。
【０００３】
ここで、店頭での両替手続きの時間を短縮するために、顧客の移動体端末からインターネット上で事前に外貨の両替を申し込み、店頭での外貨両替の業務効率を上げるために、例えば、特許文献１記載のシステムを用いることで、ユーザが利用する移動端末から、あらかじめ両替の申込みをしておき、店頭で外貨を受け取るだけでよいといった方法も知られている（例えば、特許文献１）。
【先行技術文献】
【特許文献】
【０００４】
【特許文献１】特開２００６−１４６５８７号公報
【発明の概要】
【発明が解決しようとする課題】
【０００５】
しかし、特許文献１に記載のシステムでは、あらかじめ決済用の口座を開設する必要があるのに加え、あらかじめ設定されたバケット単位での両替しかできないため、小銭単位での所望の金額を両替することができなかった。また、専用の両替装置の置いてある店頭を訪問しなければならないといった煩わしさも改善されるものではなかった。
【０００６】
そこで、本発明は、決済用の特別口座を開設することなく、自国通貨によるモバイル決済サービスを利用して、少額の小銭まで含めて、日本での両替をスムーズに行うことができる、両替サーバ及び両替システムを提供することにある。
【課題を解決するための手段】
【０００７】
このような目的を達成するために、本発明の一態様に係る両替サーバは、モバイル決済サービスを利用するユーザの顧客端末に両替レートを提示する両替レート提示部と、顧客端末から送信される両替予約の要求を受信し、店舗との収納代行を管理する収納代行事業サーバへ前記両替予約を送信する、両替要求処理部と、収納代行事業サーバが前記両替予約に基づいて生成する両替予約コードを受信し、顧客端末に送信する、コード通知部と、ユーザが店舗に設置された端末にて、前記両替予約コードに基づいて、前記両替予約した金銭の授受が完了した旨の結果を前記収納代行事業サーバから受信し、モバイル決済サービス用のサーバに送信し、モバイル決済サービスのチャージ金額に反映させる取引結果通知部と、を備えることを特徴としている。
【０００８】
また、本発明の一態様に係る両替システムは、両替サーバと、ユーザの顧客端末でモバイル決済サービスを利用させるモバイル決済事業サーバと、ユーザが両替にかかる金銭の授受をする店舗に設置された端末と、店舗との収納代行を管理する収納代行事業サーバとを通信ネットワークを介して接統される両替システムにおいて、前記モバイル決済事業サーバは、顧客端末で実行された両替予約の要求を前記両替サーバに送信する両替要求送信部を備え、前記収納代行事業サーバは、前記両替予約に基づいて両替予約コードを生成するコード生成部と、前記店舗に設置された端末が前記両替予約コードを読み取って送信する承認要求を照会する情報照会部とを備え、前記両替サーバは、顧客端末に両替レートを提示する両替レート提示部と、前記モバイル決済事業サーバから送信される前記両替予約を受信し、収納代行事業サーバへ送信する、両替要求処理部と、前記収納代行事業サーバからの前記両替予約コードを受信し、顧客端末に送信するコード通知部と、ユーザが前記店舗に設置された端末にて、前記両替予約コードに基づいて、前記両替予約した金銭の授受が完了した旨の結果を前記収納代行事業サーバから受信し、前記モバイル決済事業サーバに送信し、モバイル決済サービスのチャージ金額に反映させる取引結果通知部とを備えることを特徴としている。
【０００９】
そして、これらの態様における前記店舗に設置された端末は、前記両替予約コードを読み取って、両替金額の情報を含むバーコードを発行する端末と、前記バーコードを読み取って処理が可能なＰＯＳレジとから構成されていることが好ましい。
【発明の効果】
【００１０】
本発明によれば、モバイル決済サービスを利用することによって、両替のための口座を別途開設する必要がない。また、近年、ＰＯＳレジは、２４時間営業のコンビニエンスストア等の多くの場所に設置されており、様々な場所で両替をすることができる。さらに、余った円貨を小銭の単位まで外貨に両替することができるため、外貨から円貨に両替するだけでなく、訪日観光客の帰国時においても便利である。
【図面の簡単な説明】
【００１１】
【図１】本発明の一実施形態に係る両替システムの構成例を示す図である。
【図２】本発明の一実施形態に係る両替システムにおける外貨から円貨への両替処理の流れを示すシーケンス図である。
【図３】本発明の一実施形態に係る両替システムにおける外貨から円貨への両替処理時おける各構成の連携を示す図である。
【図４】本発明の一実施形態に係る両替システムにおける円貨から外貨への両替処理の流れを示すシーケンス図である。
【図５】本発明の一実施形態に係る両替システムにおける円貨から外貨への両替処理時おける各構成の連携を示す図である。
【発明を実施するための形態】
【００１２】
添付図面を参照して、本発明の好適な実施形態について説明する。なお、以下の実施形態は、本発明の理解を容易にするためのものであり、本発明を限定して解釈するためのものではない。また、本発明は、その要旨を逸脱しない限り、さまざまな変形が可能である。さらに、当業者であれば、以下に述べる各要素を均等なものに置換した実施形態を採用することが可能であり、係る実施形態も本発明の範囲に含まれる。
【００１３】
（システム構成）
図１は、本発明の一実施形態に係る両替システムの構成例を示す。両替システム１は、両替事業サーバ１０、モバイル決済事業サーバ２０、収納代行事業サーバ３０、顧客端末４０、店頭端末５０、ＰＯＳレジ６０を備える。両替事業サーバ１０は、モバイル決済事業サーバ２０、収納代行事業サーバ３０、顧客端末４０、店頭端末５０、ＰＯＳレジ６０とインターネット等のネットワークＮを介して通信を行うよう構成されている。
【００１４】
両替事業サーバ１０は、モバイル決済事業サーバ２０を介して、顧客端末４０に両替レートを提示し、顧客端末４０から入力された両替に関する予約情報を受信し、収納代行事業サーバ３０へ出金又は入金の予約情報を送信する。また、両替事業サーバ１０は、収納代行事業サーバ３０から発行された出金コード又は入金コードをモバイル決済事業サーバ２０に通知する。
【００１５】
収納代行事業サーバ３０は、両替事業サーバからの出金又は入金の予約情報を受信して、出金コード又は入金コードを発行する。また、収納代行事業サーバ３０は、ＰＯＳレジ６０からの出金完了通知又は入金完了通知を受信すると、取引結果通知を両替事業サーバ１０に送信する。
【００１６】
顧客端末４０のユーザは店舗ＣＳに来店し、店舗ＣＳ内に設置された店頭端末５０を操作して、出金コード又は入金コードに基づいて生成したバーコード付きのレシートを発券させる。また、レシート発行の情報を同じ店舗ＣＳ内のＰＯＳレジ６０に送信する。
【００１７】
店頭端末５０から発券されたレシートをユーザがＰＯＳレジ６０に持参すると、ユーザーからレシートを提示されたＰＯＳ担当者が、ＰＯＳレジ６０の読み取り機を用いてバーコードを読み取ることで、ユーザは、バーコードに関連付けられた現金を出金又は入金することができる。
【００１８】
（両替事業サーバ構成）
図１において、本発明の一実施形態に係る両替事業サーバ１０の構成を示す。なお、図１では、単一の両替事業サーバ１０を想定し、必要な機能構成だけを示しているが、複数のコンピュータシステムによる多機能の分散システムの一部として構成することもできるし、後述する収納代行事業サーバ３０と一体的なサーバとして構成することもできる。
【００１９】
両替事業サーバ１０は、外貨両替サービスを提供するサービス提供者によって保有される。両替事業サーバ１０は、モバイル決済事業サーバ２０、収納代行事業サーバ３０、顧客端末４０、店頭端末５０、ＰＯＳレジ６０と通信する機能を備えたサーバ装置である。図１に示すように、両替事業サーバ１０は、サーバ内に記憶されているプログラムをＣＰＵやＭＰＵ等の演算処理部によって実行することで動作させる両替レート提示部１０１、円貨出金要求処理部１０２ａ，円貨入金要求処理部１０２ｂ、円貨出金コード通知部１０３ａ，円貨入金コード通知部１０３ｂ，円貨出金結果通知部１０４ａ，円貨入金結果通知部１０４ｂを備えている。
【００２０】
両替レート提示部１０１は、第１通貨である国内通貨の日本円（円貨）と、第２通貨である外貨との両替レートを、モバイル決済事業サーバ２０を介して、顧客端末４０に提示させる。両替レートは、外貨から円貨への両替，円貨から外貨への両替のそれぞれについて独自に設定したものをサーバ内に記憶し、それを読み込むこともできるし、インターネットを通じて外部の為替レートと連動させるようにしてもよい。
【００２１】
円貨出金要求処理部１０２ａは、顧客端末４０にインストールされたモバイル決済事業者が提供するアプリ（アプリケーションソフトウェア）にチャージされた資金について、外貨から円貨に両替を予約するための機能であり、顧客端末４０のユーザが要求した外貨から円貨への両替金額の要求をモバイル決済事業サーバ２０を介して受信し、その予約を収納代行事業サーバ３０に送信するものである。
【００２２】
また、円貨入金要求処理部１０２ｂは、円貨から外貨へ両替をし、顧客端末４０にインストールされたアプリにチャージするための機能であり、顧客端末４０のユーザが要求した両替金額の要求をモバイル決済事業サーバ２０を介して受信し、その予約を収納代行事業サーバ３０に送信するものである。
【００２３】
円貨出金コード通知部１０３ａ及び円貨入金コード通知部１０３ｂは、予約された両替金額の出金又は入金について収納代行事業サーバ３０が発行した出金コード又は入金コードを受信し、モバイル決済事業サーバ２０を介して、顧客端末４０に送信するものである。
【００２４】
円貨出金結果通知部１０４ａ及び円貨入金結果通知部１０４ｂは、収納代行事業サーバ３０から送信された取引結果通知を受信し、モバイル決済事業サーバ２０を介して、顧客端末４０に取引結果を送信するものである。
【００２５】
（モバイル決済事業サーバ構成）
モバイル決済事業サーバ２０は、顧客端末４０にインストールされるアプリを用いて、いわゆるユーザがモバイル決済サービスを利用するために運営されるサーバである。図１では、本両替システムに必要な機能構成だけを示しているが、例えば、本人確認のためのＩＤ処理であったり、モバイル決済事業者に対する支払い等のための顧客のクレジットカードや銀行口座に関する情報を管理する機能とった各種のモバイル決済サービスに応じて必要な機能を備えているものである。モバイル決済事業サーバ２０は、両替レート表示部２０１、円貨出金要求送信部２０２ａ，円貨入金要求送信部２０２ｂ、円貨出金コード表示部２０３ａ，円貨入金コード表示部２０３ｂ，円貨出金結果処理部２０４ａ，円貨入金結果処理部２０４ｂを備えている。
【００２６】
両替レート表示部２０１は、顧客端末４０のアプリから両替レート表示の要求があった場合に、両替事業サーバ１０の両替レート提示部１０１にアクセスし、モバイル決済サービスに使われる外貨（ユーザにとっては、母国の通貨）と円貨との両替レートを顧客端末４０の画面に表示させる。
【００２７】
顧客端末４０のアプリにおいて、前記両替レートに基づいて円貨の出金額又は入金額を計算し、その金額での出金又は入金を希望する操作（円貨出金要求又は円貨入金要求）があった場合に、円貨出金要求送信部２０２ａ又は円貨入金要求送信部２０２ｂは、その情報を円貨出金要求処理部１０２ａ又は円貨入金要求処理部１０２ｂに送信する。
【００２８】
円貨出金コード表示部２０３ａ及び円貨入金コード表示部２０３ｂについては、両替事業サーバから通知された出金コード又は入金コードを顧客端末４０に通知し、そのアプリ上に表示させるためのものである。アプリ上に表示させるコードについては、必要なデータを、例えばＱＲコード（登録商標）化するようにしてもよい。
【００２９】
円貨出金結果処理部２０４ａ及び円貨入金結果処理部２０４ｂについては、両替事業サーバ１０から通知された取引結果通知を顧客端末４０に通知するとともに、その取引結果に基づいて、アプリ上のチャージ金額に反映させるものである。
【００３０】
(収納代行事業サーバ構成)
収納代行事業サーバ３０は、両替事業サービスを提供する業者と店舗ＣＳとの金銭の収納を代行するサービスを提供するサービス提供者によって保有される。収納代行事業サーバ３０は、ネットワークＮを介して両替事業サーバ１０，店頭端末５０及びＰＯＳレジ６０と通信する機能を備えたサーバ装置である。図１に示すように、収納代行事業サーバ３０は、円貨出金要求処理受信部３０１ａ，円貨入金要求処理受信部３０１ｂ、円貨出金コード生成部３０２ａ，円貨入金コード生成部３０２ｂ，円貨出金結果情報照会部３０３ａ，円貨入金結果情報照会部３０３ｂ、円貨出金取引結果通知生成部３０４ａ，円貨入金取引結果通知生成部３０４ｂを備えている。
【００３１】
円貨出金要求処理部１０２ａ又は円貨入金要求処理部１０２ｂから送信された両替器金額の予約情報については、円貨出金要求処理受信部３０１ａ又は円貨入金要求処理受信部３０１ｂにてそれぞれ受信され、その内容に基づいて円貨出金コード生成部３０２ａ又は円貨入金コード生成部３０２ｂにて、出金コード又は入金コードが発行される。
【００３２】
また、店頭端末５０やＰＯＳレジ６０において、店頭端末にて出金コード又は入金コードが読み取られたり、ＰＯＳ担当者から現金の出金又は入金がなされた場合、その結果に関する情報が店頭端末５０やＰＯＳレジ６０から送信され、円貨出金結果情報照会部３０３ａ又は円貨入金結果情報照会部３０３ｂにて受信される。この照会結果に基づいて、円貨出金取引結果通知生成部３０４ａ又は円貨入金取引結果通知生成部３０４ｂで、それぞれの取引結果情報が生成され、円貨出金結果通知部１０４ａ又は円貨入金結果通知部１０４ｂに送信される。
【００３３】
（顧客端末構成）
顧客端末４０は、ネットワークＮを介してモバイル決済事業サーバ２０と通信する機能を備えた情報処理端末である。顧客端末４０は、タッチパネル等の操作部、ディスプレイ等の表示部、ＣＰＵ及びメモリを含む制御部、記憶部、ネットワークＮと接続するための通信部等の機能を有していればよく、具体的には、スマートフォン、ＰＣ、ＰＤＡ、タブレット等が挙げられるが、これに限られない。顧客端末４０は、記憶部にインストールされているプログラムがＲＡＭに読み出され、制御部によって実行されることで、アプリが作動する。
【００３４】
顧客端末４０では、ユーザが両替レート表示の要求をした場合に、両替レート表示部２０１の機能により、両替事業サーバ１０内の両替レートが表示部に表示される。その両替替レートに基づいて、ユーザ側が両替を希望する金額を計算する両替金額計算部４０１を備えている。また、その計算結果に基づいて、円貨出金要求又は円貨入金要求をする操作部４０２ａ，４０２ｂを備えている。
【００３５】
さらに、円貨出金コード表示部２０３ａ又は円貨入金コード表示部２０３ｂの機能によって、表示部に出金コード又は入金コードを表示させるコード情報受信部（４０３ａ，４０３ｂ）を備えている。受信された出金コード又は入金コードについては、インターネットと通信できないエリアでも表示可能にするため、記憶部に記憶することができる。
【００３６】
また円貨出金結果処理部２０４ａ及び円貨入金結果処理部２０４ｂから送信された取引結果を円貨出金結果通知受信部４０４ａ及び円貨入金結果通知受信部４０４ｂで受信し、表示部に受信完了の旨が表示されるとともに、アプリによってチャージ金額を確認することができる。
【００３７】
（店頭端末構成）
店頭端末５０は、ネットワークＮを介して収納代行事業サーバ３０及びＰＯＳレジ６０と通信する機能を備えた情報処理装置である。店頭端末５０とＰＯＳレジ６０とは、同一店舗ＣＳ内に設置されているので、専用回線で通信するようにしてもよい。
【００３８】
店頭端末５０は、ユーザからの入力を受け付けるタッチパネル等の入力部、ディスプレイ等の表示部、ＣＰＵ及びメモリを含む制御部、記憶部、ネットワークＮと接続するための通信部、顧客端末４０に表示される出金コード又は入金コードを読み取るコードリーダ部５０１、レシート発行部５０３を備えている。
【００３９】
コードリーダ部５０１によって、顧客端末４０に表示された出金コード又は入金コードを読み取り、承認要求部５０２は、それらの情報が正しいことを確認するため、円貨出金結果情報照会部３０３ａ又は円貨入金結果情報照会部３０３ｂへの承認要求を送信する。
【００４０】
承認が認められた場合、レシート発行部５０３より、出金金額（入金金額）や発行時間等の情報に基づいてバーコードを生成し、レシートに印字させる。
【００４１】
（ＰＯＳレジ構成）
ＰＯＳレジ６０は、ネットワークＮを介して収納代行事業サーバ３０及び店頭端末５０と通信する機能を備えた情報処理装置である。ＰＯＳレジ６０は、レシートに印字されたバーコードを光学的に読み取るコードスキャナ６０１とネットワークＮと接続するための通信部とを少なくとも備えている。
【００４２】
ＰＯＳレジ６０は、コードスキャナ６０１によって読み取られたバーコードに基づいて、レジ内の引き出しが開き、現金を出金又は入金することができる。ＰＯＳ担当者から現金の出金又は入金がなされた場合、詳細結果情報送信部６０２は、出金結果又は入金結果に関する詳細情報（金額，時刻，店舗名等）を円貨出金結果情報照会部３０３ａ又は円貨入金結果情報照会部３０３ｂに送信する。
【００４３】
なお、レシート発行部５０３から発行されたレシートが一定時間経過した場合には、コードスキャナ６０１での読み取りを無効にするようにしてもよい。
【００４４】
なお、店頭端末５０とＰＯＳレジ６０とを別の構成として記載したが、これらを一体とする装置であっても構わない。
【００４５】
図２は、本発明の一形態例に係る円貨の出金処理（外貨から円貨への両替）の流れを示すシーケンス図である具体的には、ユーザが顧客端末４０を操作して両替予約をしてから、店舗ＣＳに来店して、ＰＯＳレジ６０の担当者から円貨を受け取るまでの例を示す。また、図３は、図１から円貨の出金処理に必要な機能だけを抜粋して、相互の連携を示す図であるので、適宜参照することができる。
【００４６】
まず、ユーザは、顧客端末４０にて、モバイル決済事業者から提供されるアプリを立ち上げ、両替金額計算部４０１によって、外貨から円貨への両替計算シミュレーションを行う（ステップＳ１１）。この際、両替事業サーバ１０内の両替レート提示部１０１に記憶された両替レートを、両替レート表示部２０１を介して、両替金額計算部４０１に読み込む（ステップＳ１２）。
【００４７】
ユーザは、顧客端末４０にて、希望する外貨から円貨への両替金額を決定したら、円貨出金要求操作部４０２ａにより、両替予約の操作をし（ステップＳ１３）、その要求が、円貨出金要求送信部２０２ａ，円貨出金要求処理部１０２ａを介して、円貨出金要求処理受信部３０１ａに送信される。
【００４８】
収納代行事業サーバ３０において、円貨出金要求処理受信部３０１ａが円貨の出金要求を受信すると、円貨出金コード生成部３０２ａにて出金用のコードが生成される（ステップＳ１４）。
【００４９】
円貨出金コード生成部３０２ａにて生成された出金コードは、円貨出金コード通知部１０３ａ，円貨出金コード表示部２０３ａを介して、円貨出金コード情報受信部４０３ａにて、顧客端末４０に受信され、円貨出金コードを顧客端末４０内に記憶する。
【００５０】
次に、ユーザは、店舗ＣＳに来訪し、店頭端末５０のコードリーダ部５０１にて出金コードを読み取る（ステップＳ１５）。
【００５１】
店頭端末５０は、出金コードを読み取ると、収納代行事業サーバ３０の円貨出金結果情報照会部３０３ａにてコード情報が正しいかを確認するための承認要求をする（ステップＳ１６）。
【００５２】
収納代行事業サーバ３０にて承認要求が認められると、店頭端末５０は、バーコードに各種情報が含まれているレシートをレシート発行部５０３が発行する（ステップＳ１７）。
【００５３】
ユーザは、発行されたレシートを持ってＰＯＳレジ６０に移動する。ＰＯＳレジ担当者は、コードスキャナ６０１でレシートのバーコードを読み取り、レジ内の引き出しが開き、現金を出金する（ステップＳ１８）。また、ＰＯＳレジ６０の詳細結果情報送信部６０２は、出金結果に関する詳細情報（金額，時刻，店舗名等）を円貨出金結果情報照会部３０３ａに送信する（ステップＳ１９）。
【００５４】
出金結果に関する情報が円貨出金結果情報照会部３０３ａに受信されると、円貨出金取引結果通知生成部３０４ａにて取引結果が生成され、円貨出金結果通知部１０４ａを介して、円貨出金結果処理部２０４ａに送信される。円貨出金結果処理部２０４ａは、取引結果通知を顧客端末４０に通知するとともに、その取引結果に基づいて、アプリ上のチャージ金額に反映させる（ステップＳ２０）。
【００５５】
次に、本発明の一形態例に係る円貨の入金処理（円貨から外貨への両替）の流れを説明する。具体的には、ユーザが顧客端末４０を操作して両替予約をしてから、店舗ＣＳに来店して、ＰＯＳレジ６０の担当者に対して手持ちの円貨を渡して両替をし、アプリのちヤージ金額に反映されるまでの例を示す。図４は、この流れのシーケンス図であり、また、図５は、図１から円貨の入金処理に必要な機能だけを抜粋して、相互の連携を示す図であるので、適宜参照することができる。
【００５６】
まず、円貨の入金処理（円貨から外貨への両替）であっても、基本的には円貨の出金処理の流れと同様である。
【００５７】
ユーザは、顧客端末４０にて、モバイル決済事業者から提供されるアプリを立ち上げ、両替金額計算部４０１によって、円貨から外貨への両替計算シミュレーションを行う（ステップＳ２１）。この際、出金処理と同様に、両替レートを両替金額計算部４０１に読み込む（ステップＳ２２）。
【００５８】
ユーザは、顧客端末４０にて、手持ちの円貨の金額を考慮しながら、円貨から外貨への両替金額を決定する。そして、円貨入金要求操作部４０２ｂにより、両替予約の操作をし（ステップＳ２３）、その要求が、円貨入金要求送信部２０２ｂ，円貨入金要求処理部１０２ｂを介して、円貨入金要求処理受信部３０１ｂに送信される。
【００５９】
収納代行事業サーバ３０において、円貨入金要求処理受信部３０１ｂが円貨の入金要求を受信すると、円貨入金コード生成部３０２ｂにて入金用のコードが生成される（ステップＳ２４）。
【００６０】
円貨入金コード生成部３０２ｂにて生成された入金コードは、円貨入金コード通知部１０３ｂ，円貨入金コード表示部２０３ｂを介して、円貨入金コード情報受信部４０３ｂにて、顧客端末４０に受信され、円貨入金コードを顧客端末４０内に記憶する。
【００６１】
次に、ユーザは、店舗ＣＳに来訪し、店頭端末５０のコードリーダ部５０１にて入金コードを読み取る（ステップＳ２５）。
【００６２】
店頭端末５０は、入金コードを読み取ると、収納代行事業サーバ３０の円貨入金結果情報照会部３０３ｂにてコード情報が正しいかを確認するための承認要求をする（ステップＳ２６）。
【００６３】
収納代行事業サーバ３０にて承認要求が認められると、店頭端末５０は、バーコードに各種情報が含まれているレシートをレシート発行部５０３が発行する（ステップＳ2７）。
【００６４】
ユーザは、発行されたレシートを持ってＰＯＳレジ６０に移動する。ＰＯＳレジ  担当者は、コードスキャナ６０１でレシートのバーコードを読み取り、レジ内の引き出しが開き、ユーザから渡された現金を入金する（ステップＳ２８）。また、ＰＯＳレジ６０の詳細結果情報送信部６０２は、入金結果に関する詳細情報（金額，時刻，店舗名等）を円貨入金結果情報照会部３０３ｂに送信する（ステップＳ１９）。
【００６５】
入金結果に関する情報が円貨入金結果情報照会部３０３ｂに受信されると、円貨入金取引結果通知生成部３０４ｂにて取引結果が生成され、円貨入金結果通知部１０４ｂを介して、円貨入金結果処理部２０４ｂに送信される。円貨入金結果処理部２０４ｂは、取引結果通知を顧客端末４０に通知するとともに、その取引結果に基づいて、アプリ上のチャージ金額に反映させる（ステップＳ３０）。
【００６６】
以上、本発明によれば、ユーザは両替時に、決済用の銀行口座を設ける必要もなく、自国で使用しているもモバイル決済サービスを利用して、小銭単位での両替も可能としている。
【００６７】
なお、本実施形態では、ＰＯＳレジ６０にて、出金用のバーコードを読み取って現金を出金することにしたが、例えば、通常の商品のバーコードを読み取って、いわゆるモバイル決済アプリでそのまま決済する際に、円貨に両替することを可能にしてもよい。
【００６８】
ここまで、本発明の実施形態について説明したが、上記実施形態はあくまで一例であり、本発明は上述した実施形態に限定されず、その技術的思想の範囲内において種々異なる形態にて実施されてよいことは言うまでもない。
【００６９】
例えば、本発明の店舗に設置された端末について、本実施形態では、店頭端末５０とポＳレジ６０として説明がされたが、ＡＴＭ等の端末も当然含まれるものである。また、店舗についても、コンビニエンスストア等に限らず、ＡＴＭが設置されるような駅構内も含まれる概念である。コードについても、ＱＲコード（登録商標）に限らず、情報を一致させるために用いられるものであればよく、文字列によるパスワード・パスコード等でもよい。
【００７０】
また、本発明の範囲は、図示され記載された例示的な実施形態に限定されるものではなく、本発明が目的とするものと均等な効果をもたらすすべての実施形態をも含む。
【符号の説明】
【００７１】
１…両替システム、１０…両替事業サーバ、１０１…両替レート提示部、１０２ａ…円貨出金要求処理部、１０２ｂ…円貨入金要求処理部、１０３ａ…円貨出金コード通知部、１０３ｂ…円貨入金コード通知部、１０４ａ…円貨出金結果通知部、１０４ｂ…円貨入金結果通知部、２０…モバイル決済事業サーバ、２０１…両替レート表示部、２０２ａ…円貨出金要求送信部、２０２ｂ…円貨入金要求送信部、２０３ａ…円貨出金コード表示部、２０３ｂ…円貨入金コード表示部、２０４ａ…円貨出金結果処理部、２０４ｂ…円貨入金結果処理部、３０…収納代行事業サーバ、３０１ａ…円貨出金要求処理受信部、３０１ｂ…円貨入金要求処理受信部、３０２ａ…円貨出金コード生成部、３０２ｂ…円貨入金コード生成部、３０３ａ…円貨出金結果情報照会部、３０３ｂ…円貨入金結果情報照会部、３０４ａ…円貨出金取引結果通知生成部、３０４ｂ…円貨入金取引結果通知生成部、４０…顧客端末、４０１…両替金額計算部、４０２ａ…円貨出金要求操作部、４０２ｂ…円貨入金要求操作部、４０３ａ…円貨出金コード情報受信部、４０３ｂ…円貨入金コード情報受信部、４０４ａ…円貨出金結果通知受信部、４０４ｂ…円貨入金結果通知受信部、５０…店頭端末、５０１…コードリーダ部、５０２…承認要求部、５０３…レシート発行部、６０…ＰＯＳレジ、６０１…コードスキャナ、６０２…詳細結果情報送信部、Ｎ…ネットワーク、ＣＳ…店舗
【図１】
2020027431.tif 000003
【図２】
2020027431.tif 000004
【図３】
2020027431.tif 000005
【図４】
2020027431.tif 000006
【図５】
2020027431.tif 000007